(57)【要約】【課題】光学系を備えた従動部を単純な構成により駆動する。【解決手段】レンズを備えた補正光学系１はレンズ枠２に固定され、レンズ枠２は可撓性部材４、５によりそれぞれ第１、第２の駆動部６、７に連結されている。第１、第２の駆動部６、７はそれぞれ横方向、縦方向の直交方向にレンズ枠２を駆動するようにされている。第１の駆動部６が横方向に距離ｄＸだけ駆動すると、可撓性部材４を介してレンズ枠２が同じ方向に距離ｄＸ移動する。このとき、縦方向の第２の駆動部７の変位は可撓性部材５が撓むことにより吸収される。【選択図】  図３
2006317499.tif 000002
【特許請求の範囲】
【請求項１】
光学系を備え該光学系の光軸と直交する平面上を移動して揺動運動を行う従動部と、該従動部を異なる駆動方向に駆動する少なくとも２つの駆動部と、前記従動部と前記駆動部とを連結した可撓性部材とを備えたことを特徴とする光学装置。
【請求項２】
前記２つの駆動部は相互に直交方向に駆動するように配置した請求項１に記載の光学装置。
【請求項３】
前記光学系は防振用の補正光学系であることを特徴とする請求項１に記載の光学装置。
【請求項４】
前記可撓性部材は線状又は棒状のばね材であることを特徴とする請求項１又は２に記載の光学装置。
【請求項５】
前記可撓性部材は板ばねとし、該板ばねの平面は前記光学系の光軸と平行としたことを特徴とする請求項１又は２に記載の光学装置。
【請求項６】
前記従動部は光軸方向の両面に配置した案内壁により光軸方向の移動を規制した請求項１又は２に記載の光学装置。
【請求項７】
前記駆動部の対向側にスライダを配置し、該スライダと前記従動部間を可撓性部材により連結したことを特徴とする請求項１又は２に記載の光学装置。
【発明の詳細な説明】
【技術分野】
【０００１】
本発明は、防振のための光学系の揺動機構を改良した光学装置に関するものである。
【背景技術】
【０００２】
ビデオカメラ等で使用されるシフト防振機構の代表的な構造は、特許文献１の図７及び特許文献２の図１５に記述されている。
【０００３】
特許文献１に開示されている機構は、振動を補正する光学素子が搭載された保持枠を同一平面上の２方向に駆動するために、Ｌ字板材、防振装置筐体にそれぞれ溝を形成し、これらの溝に沿って保持枠が駆動するように摺動部材をそれぞれ溝に嵌合させている。このとき、コイルと永久磁石により発生した駆動力により、保持枠は溝に沿って駆動する。また、別のコイルと永久磁石により発生した駆動力により、保持枠はＬ字板材に形成された溝に沿って駆動する。
【０００４】
また、特許文献２に開示されている機構は、レンズ枠に搭載された補正光学系を駆動するために、２方向のそれぞれにリニアモータが設けられている。リニアモータにより発生した駆動力は、ロッドを介してそれぞれ２つのローラに伝達され、レンズ枠に形成された長穴の壁面に伝わることにより、補正光学系を駆動している。
【０００５】
【特許文献１】特開２００４−３３３７９７号公報
【特許文献２】特開２００２−１６７６９５号公報
【発明の開示】
【発明が解決しようとする課題】
【０００６】
しかし、特許文献１の構造の場合に、光軸方向への部品の積み重ねが多くなり、補正光学系の光軸方向の位置精度が悪くなってしまう。
【０００７】
また、特許文献２の構造の場合には、ローラとレンズ枠に形成された長穴との間は嵌合ではあるが、一般的な精度で製作するとがたが生ずる。更に、補正光学系を支持する平行リンク機構にも連結部にがたが生ずることから、構造全体にがたが生じ易い。このがたがあると、補正光学系の光軸方向の位置精度が悪く、防振性能自体も悪化する虞れがある。
【０００８】
本発明の目的は、上述の課題を解決し、部品点数の減少と部品形状を簡素化し、コストを低減した光学装置を提供することにある。
【課題を解決するための手段】
【０００９】
上記目的を達成するための本発明に係る光学装置の技術的特徴は、光学系を備え該光学系の光軸と直交する平面上を移動して揺動運動を行う従動部と、該従動部を異なる駆動方向に駆動する少なくとも２つの駆動部と、前記従動部と前記駆動部とを連結した可撓性部材とを備えたことにある。
【発明の効果】
【００１０】
本発明による光学装置によれば、上述の課題を解決し、光学系を備えた従動部を単純な構成により駆動することが可能になる。
【００１１】
また、連結に使用する可撓性部材は単部品とすれば、連結部にがたや遅れが生ずることなく、部品の誤差や取付の誤差を可撓性部材が吸収するため組立が容易となる。
【発明を実施するための最良の形態】
【００１２】
本発明を図示の実施例により詳細に説明する。
【実施例１】
【００１３】
図１は例えば撮影レンズのシフト防振機構において、実施例１の従動部が移動する面を光軸方向から見た構成図、図２は光軸に沿って切断した断面図である。レンズを備えた補正光学系１はレンズ枠２に固定され、レンズ枠２は光軸方向に移動しないように案内壁３により挟まれている。レンズ枠２は線状のばね又は棒状のばねから成る可撓性部材４、５によりそれぞれ第１、第２の駆動部６、７に連結されている。第１、第２の駆動部６、７はそれぞれ図１中の横方向、縦方向の直交方向にレンズ枠２を駆動するようにされ、第１、第２の駆動部６、７の駆動源はリニアモータ、ボイスコイルモータ等の直動モータや、回転運動を直線運動に変換する機構を備えたモータとされている。
【００１４】
図３は第１の駆動部６が横方向に距離ｄＸだけ駆動したときの様子を示し、このように第１の駆動部６が駆動すると、可撓性部材４を介してレンズ枠２が同じ方向に距離ｄＸ移動する。このとき、縦方向の第２の駆動部７の変位は可撓性部材５が撓むことにより吸収される。
【００１５】
図４は第２の駆動部７が縦方向に距離ｄＹ駆動したときの様子を示し、第２の駆動部７が駆動すると、可撓性部材５を介してレンズ枠２が同じ方向に距離ｄＹ移動し、第１の駆動部６の変位は可撓性部材４が撓んで吸収される。
【００１６】
このように、一方の駆動部が駆動したときには、他方の駆動部は動かずに可撓性のある部材が撓んで変位を吸収し、双方の駆動部６、７が駆動した場合には互いに変位を吸収しながら駆動する。
【００１７】
図５は第１、第２の駆動部６、７がそれぞれ距離ｄＸ、ｄＹを同時に駆動したときの様子を示し、第１の駆動部６が駆動すると、可撓性部材５が撓んで第２の駆動部７の横方向の変位を吸収する。同時に、第２の駆動部７が縦方向に距離ｄＹ駆動すると、可撓性部材４が撓んで第１の駆動部６の縦方向の変位を吸収する。このように、第１、第２の駆動部６、７がそれぞれ駆動すると、レンズ枠２と補正光学系１は、距離ｄＸとｄＹが合成された方向に駆動されることになる。
【００１８】
レンズ枠２と第１、第２の駆動部６、７を連結する連結部材である可撓性部材４、５は可撓性を有するため、部品の誤差や組立誤差を吸収するため組立が容易で、また連結部材が単部品で構成されるため駆動にがたが生じない。
【実施例２】
【００１９】
図６は実施例２の構成図、図７はその断面図であり、実施例１と同一の符号は同一の部材を示している。レンズ枠２と第１と第２の駆動部６、７を連結する板ばねから成る可撓性部材１１、１２の面は、補正光学系１の光軸と平行に配置されている。
【００２０】
この実施例においては、板ばねである可撓性部材１１、１２自体が補正光学系１の光軸方向の移動を規制しているため、実施例１のように案内壁３は必要としないが、安全のために案内壁３を設けることも可能であり、第１、第２の駆動部６、７とこれに対するレンズ枠２の動きは実施例１と同様である。
【実施例３】
【００２１】
図８は実施例３の構成を示し、レンズ枠２に対し第１、第２の駆動部６、７は可撓性部材２１、２２によりそれぞれ連結されている。また、第１の駆動部６の反対側に、駆動源を持たないスライダ２３が配置され、このスライダ２３は可撓性部材２４を介してレンズ枠２と連結されている。
【００２２】
このように、スライダ２３を備えることにより、レンズ枠２は両側から支持され、光軸方向への移動が規制されることになる。
【００２３】
可撓性部材２１、２２、２４の少なくとも１つが、実施例２のように光軸方向と平行に配置された板ばねである場合は、レンズの光軸方向の規制になるため案内壁３を設ける必要がなくなるが、安全のために案内壁３を設けてもよい。
【実施例４】
【００２４】
図９は実施例４の構成を示し、実施例３の構成に加えて第２の駆動部７の反対側にもレンズ枠２との間に可撓性部材２５で連結したスライダ２６が設けられている。この実施例４は実施例３よりも更に確実にレンズ枠２の光軸方向への移動が規制されている。
【００２５】
この場合にも、可撓性部材２１、２２、２４、２５の内の少なくとも１つが、板ばねであれば、案内壁３を設ける必要性は少ない。
【図面の簡単な説明】
【００２６】
【図１】実施例１の構成図である。
【図２】断面図である。
【図３】駆動部が横方向に距離ｄＸ駆動した場合の説明図である。
【図４】駆動部が縦方向に距離ｄＹ駆動した場合の説明図である。
【図５】駆動部が横方向と縦方向にそれぞれ距離ｄＸ、ｄＹ駆動した場合の説明図である。
【図６】実施例２の構成図である。
【図７】断面図である。
【図８】実施例３の構成図である。
【図９】実施例４の構成図である。
【符号の説明】
【００２７】
１  補正光学系
２  レンズ枠
３  案内壁
６、７  駆動部
４、５、１１、１２、２１、２２、２４、２５  可撓性部材
２３、２６  スライダ
【図１】
2006317499.tif 000003
【図２】
2006317499.tif 000004
【図３】
2006317499.tif 000005
【図４】
2006317499.tif 000006
【図５】
2006317499.tif 000007
【図６】
2006317499.tif 000008
【図７】
2006317499.tif 000009
【図８】
2006317499.tif 000010
【図９】
2006317499.tif 000011